(57)【要約】上方に開口して被洗濯物および洗濯水を収容する内槽と、内槽の内底部に配設され、回転駆動部によって回転駆動される攪拌翼（７）を有する。さらに、攪拌翼（７）は、回転中心（７ａ）から外周（７ｂ）に向かって攪拌翼（７）の基盤（２６）から上方に隆起して設けられた中心翼（２７）と、外周（７ｂ）から回転中心（７ａ）に向かって攪拌翼（７）の基盤（２６）から上方に隆起して形成された外周翼（２８）とを備える。そして、中心翼（２７）と外周翼（２８）とは、攪拌翼（７）の円周方向の異なる位置に配設される。これにより、被洗濯物の容量に対して、洗濯水の使用水量が少ない場合でも、被洗濯物の洗いムラが生じにくい洗濯機を実現できる。
2015141209.tif 000002
【特許請求の範囲】
【請求項１】
少なくとも上方に開口して被洗濯物および洗濯水を収容する内槽と、
前記内槽の内底部に配設され、回転駆動部によって回転駆動される攪拌翼を有し、
前記攪拌翼は、回転中心から外周に向かって前記攪拌翼の基盤から上方に隆起して設けられた中心翼と、
前記外周から前記回転中心に向かって前記攪拌翼の基盤から上方に隆起して設けられた外周翼とを備え、
前記中心翼と前記外周翼とは、前記攪拌翼の円周方向の異なる位置に配設される洗濯機。
【請求項２】
前記中心翼と前記外周翼とは、前記攪拌翼の回転方向に対して交互に配置される請求項１に記載の洗濯機。
【請求項３】
前記中心翼と前記外周翼とは、前記攪拌翼の回転中心に対して等間隔に配置される請求項１に記載の洗濯機。
【請求項４】
前記攪拌翼の前記外周側の前記中心翼の先端部の回転軌跡が、前記攪拌翼の前記回転中心側の前記外周翼の先端部の回転軌跡より径大になるように、前記中心翼と前記外周翼の半径方向の長さを設定する請求項１に記載の洗濯機。
【請求項５】
前記中心翼は、羽根上面と、前記羽根上面の両側に形成される羽根側面とを有し、前記中心翼の前記回転中心側における前記羽根上面の幅を、前記中心翼の先端部の回転軌跡の長さの１／２０以上に設定する請求項１に記載の洗濯機。
【請求項６】
前記外周翼は、羽根上面と、前記羽根上面の両側に形成される羽根側面とを有し、前記外周翼の外周側の羽根上面の幅を、前記攪拌翼の外周の長さの１／２０以上に設定する請求項１に記載の洗濯機。
【請求項７】
前記中心翼の半径方向の長さを、前記攪拌翼の半径の１／２に設定する請求項１に記載の洗濯機。
【請求項８】
前記外周翼の半径方向の長さを、前記攪拌翼の半径の１／２に設定する請求項１に記載の洗濯機。
【請求項９】
前記中心翼の前記羽根上面は、前記攪拌翼の外周方向に向かうにつれて、前記攪拌翼の基盤に近づくように下降傾斜して設けられている請求項５に記載の洗濯機。
【請求項１０】
前記中心翼の前記羽根上面は、前記攪拌翼の円周方向の両側に設けられた前記羽根側面に向かうにつれて、前記攪拌翼の基盤に近づくように下降傾斜して設けられている請求項５に記載の洗濯機。
【請求項１１】
前記中心翼の前記羽根上面は、前記攪拌翼の外周方向に向かうにつれて、円周方向の幅が狭くなるように設けられている請求項５に記載の洗濯機。
【請求項１２】
前記外周翼の前記羽根上面は、前記攪拌翼の回転中心方向に向かうにつれて、前記攪拌翼の基盤に近づくように下降傾斜して設けられている請求項６に記載の洗濯機。
【請求項１３】
前記外周翼の前記羽根上面は、前記攪拌翼の円周方向の両側に設けられた前記羽根側面に向かうにつれて、前記攪拌翼の基盤に近づくように下降傾斜して設けられている請求項６に記載の洗濯機。
【請求項１４】
前記外周翼の前記羽根上面は、前記攪拌翼の回転中心方向に向かうにつれて、円周方向の幅が狭くなるように設けられている請求項６に記載の洗濯機。
【発明の詳細な説明】
【技術分野】
【０００１】
本発明は、洗濯機に洗濯槽を回転自在に配設し、洗濯槽内の洗濯衣類を洗濯する洗濯機に関する。
【背景技術】
【０００２】
従来、洗濯槽の底部に攪拌翼を回転自在に配設し、攪拌翼が生成する水流により被洗濯物を洗濯する洗濯機が知られている（例えば、特許文献１参照）。【０００３】
上記洗濯機は、以下に示す相乗効果により、被洗濯物に洗浄効果を与えている。具体的には、攪拌翼の回転動作によって生じる水流の効果と、攪拌翼に設けられた隆起状の羽根が被洗濯物を直接動かす効果である。つまり、上記作用・効果は、被洗濯物の形状の一時的な変形と、被洗濯物同士の接触による摩擦、被洗濯物と内槽の側壁との接触による摩擦によって汚れを被洗濯物から引き離すことを狙いとしている。【０００４】
しかし、通常、攪拌翼の回転動作中において、被洗濯物は、回転中心にあるほど小さい回転半径で、攪拌翼の外周付近にあるほど大きい回転半径で攪拌される。そのため、被洗濯物の配置位置により、同じ洗濯槽内の被洗濯物でも洗浄効果にばらつき（洗いムラ）が生じる。そこで、従来の洗濯機は、攪拌翼を構成する基盤や、基盤に設けられる隆起状の羽根の形状を工夫して、攪拌翼で複雑な水流を発生させている。これにより、洗濯水中を移動する被洗濯物の位置が入れ替わる機会を増やし、洗浄性能のばらつきを低減している。【０００５】
近年、洗濯容量の大容量化が進む一方で、節水意識の高まりにより、洗濯水としての使用水量をできる限り少なく設定した洗濯機が開発されている。【０００６】
上記の洗濯機は、被洗濯物の容量に対して洗い時の洗濯水の水量が少ない。そのため、洗濯水中において、被洗濯物が得られる浮力が少なくなり、沈み込みやすい。このとき、沈み込んだ被洗濯物は、攪拌翼の凹凸形状にある程度沿って変形するため、攪拌翼の上面に被洗濯物の重量がかかりやすい状態になる。上記の状態の場合、被洗濯物は、水流の効果よりも、攪拌翼の羽根との直接接触による動かされる効果の寄与度が大きくなる。そのため、従来の洗濯機の攪拌翼の構成では、特に洗濯水の水量が少ない場合、被洗濯物同士の位置の入れ替わる機会が少なくなる。その結果、被洗濯物の洗いムラが生じやすいと言う課題があった。
【先行技術文献】
【特許文献】
【０００７】
【特許文献１】特開２００４−３２１６２９号公報
【発明の概要】
【０００８】
本発明は、被洗濯物の容量に対して、洗濯水の使用水量が少ない場合でも、洗いムラが生じにくい洗濯機を提供する。
【０００９】
つまり、本発明の洗濯機は、上方に開口して被洗濯物および洗濯水を収容する内槽と、内槽の内底部に配設され、回転駆動部によって回転駆動される攪拌翼を有する。さらに、攪拌翼は、回転中心から外周に向かって攪拌翼の基盤から上方に隆起して形成された中心翼と、外周から回転中心に向かって攪拌翼の基盤から上方に隆起して形成された外周翼とを備える。そして、中心翼と外周翼とは、攪拌翼の円周方向の異なる位置に配設される。
【００１０】
これにより、被洗濯物の容量に対して、洗濯水の使用水量が少ない場合でも、攪拌翼の回転動作によって、被洗濯物同士の位置が入れ替わる機会を増加させることができる。その結果、被洗濯物の洗いムラの生じにくい洗濯機を実現できる。
【図面の簡単な説明】
【００１１】
【図１】図１は、本発明の実施の形態に係る洗濯機の攪拌翼の構成を示す平面図である。
【図２】図２は、図１の攪拌翼の２−２線矢視断面図である。
【図３】図３は、同実施の形態に係る洗濯機の攪拌翼の斜視図である。
【図４】図４は、同実施の形態に係る洗濯機の洗いステップにおける攪拌翼の回転駆動による被洗濯物の動きを説明する図である。
【図５】図５は、同実施の形態に係る洗濯機の洗いステップにおける攪拌翼の回転駆動による被洗濯物の動きを説明する図である。
【図６】図６は、同実施の形態に係る洗濯機の洗いステップにおける攪拌翼の回転駆動による被洗濯物の動きを説明する図である。
【図７】図７は、同実施の形態に係る洗濯機の断面図である。
【発明を実施するための形態】
【００１２】
以下、本発明の実施の形態について、図面を参照しながら説明する。なお、この実施の形態によって本発明が限定されるものではない。
【００１３】
（実施の形態）
以下に、本発明の実施の形態における洗濯機の概略構造について、図７を用いて説明する。なお、本実施の形態の洗濯機は、洗濯から脱水までを全自動で実施する全自動洗濯機の構成を例に、説明する。
【００１４】
図７は、本発明の実施の形態に係る洗濯機の断面図である。
【００１５】
図７に示すように、本実施の形態の洗濯機は、少なくとも筐体１と、筐体１内に収容される外槽３と、内槽４と、モータ１０と、制御部１１などを備えている。外槽３は、筐体１の内部に配設され、複数のサスペンション２によって筐体１に弾性支持されている。これにより、脱水時などで発生する外槽３の振動をサスペンション２によって吸収し、外部への騒音や振動の伝達を低減している。内槽４は外槽３内に配設され、内槽４の内底部には攪拌翼７が配設されている。
【００１６】
また、モータ１０は、外槽３の底部に取り付けられ、クラッチ２３を介して内槽４と攪拌翼７に連結されている。そして、モータ１０の回転をクラッチ２３で切り替えることにより、内槽４と攪拌翼７とが個別に回転駆動される。このとき、モータ１０の出力は、減速機構９を介して、内槽４の駆動軸８に伝達され、内槽４を回転駆動する。
【００１７】
また、内槽４の上部にはバランサ６が配設され、バランサ６は内槽４を回転させた際に発生する内槽４の振動を抑制する。
【００１８】
以上のように、本実施の形態の洗濯機が構成されている。
【００１９】
以下に、本実施の形態の洗濯機の動作について、説明する。
【００２０】
まず、使用者は、筐体１の上面に設けられた蓋１６を開き、内槽４内に被洗濯物２５と洗剤などを投入して、洗濯機の運転を開始する。
【００２１】
運転を開始すると、制御部１１は、給水弁１５を開放して内槽４内に給水し、モータ１０を介して攪拌翼７を回転駆動する。これにより、攪拌翼７の回転による水流と被洗濯物２５との接触による攪拌により、洗いステップが実施される。
【００２２】
つぎに、所定時間の洗いステップが完了すると、制御部１１は、内槽４内の汚れた洗濯後の水を排水ホース２２を介して排水する。そして、排水が完了すると、すすぎステップを実施する。
【００２３】
すすぎステップでは、制御部１１は、給水弁１５を開放し、新たに内槽４内に給水する。さらに、制御部１１は、給水された水と被洗濯物２５とを攪拌翼７によって攪拌し、被洗濯物２５をすすぐ。そして、すすぎステップが終了すると、脱水ステップを実施する。
【００２４】
脱水ステップでは、制御部１１は、モータ１０の回転をクラッチ２３により内槽４に切り換えて伝達し、内槽４を回転駆動する。そして、内槽４の回転駆動により、被洗濯物２５に含まれる洗濯水が、遠心力によって脱水され、内槽４の周面に形成された小孔５から外槽３内に排出される。これにより、洗いステップから脱水ステップに至る一連のステップが完了する。なお、上記一連のステップは、制御部１１によって制御され、本実施の形態の全自動洗濯機の場合、全自動で実行される。
【００２５】
つまり、本実施の形態では、洗いステップにおける攪拌翼７による水流と被洗濯物２５の攪拌が、洗いムラなどの洗浄性能を左右する要件となる。
【００２６】
そこで、本実施の形態に係る攪拌翼７は、以下に述べるように、被洗濯物の容量に対して、洗濯水の水量が少ない状態において、回転中心付近の被洗濯物と外周付近の被洗濯物との入れ替わる機会を増加させるように構成している。これにより、洗いムラの低減を図っている。さらに、少ない水量で洗濯動作が可能となるため、節水などの効果も向上することができる。
【００２７】
以下に、本実施の形態に係る洗濯機の攪拌翼７の構成について、図１および図２を参照して、説明する。
【００２８】
本実施の形態の攪拌翼７は、図１および図２に示すように、少なくとも基盤２６と、基盤２６に設けられた中心翼２７と、外周翼２８などから構成されている。基盤２６は、略円形状（円形を含む）で構成され、水平あるいは外周７ｂに向かうに従って上方に傾斜する傾斜曲面で形成されている。さらに、基盤２６には、多数の小孔２９が形成されている。これにより、内槽内の洗濯水を小孔２９を通して効率よく排水できる。また、基盤２６による攪拌時に、洗濯水を小孔２９を通して対流させることができる。その結果、洗濯効率などを向上することができる。中心翼２７は、基盤２６上に回転中心７ａから外周７ｂに向かって、例えば放射状に設けられている。外周翼２８は、基盤２６上に攪拌翼７の外周７ｂから回転中心７ａに向かって、例えば逆放射状に設けられている。
【００２９】
なお、本実施の形態では、一例として、中心翼２７と外周翼２８をそれぞれ３箇所ずつ等間隔に形成した構成で示している。具体的には、中心翼２７に対して外周翼２８、あるいは外周翼２８に対して中心翼２７を互いに、攪拌翼７の回転中心７ａに対して、６０度変位させた位置に設けている。
【００３０】
そして、攪拌翼７の中心翼２７は、攪拌翼７の回転中心７ａから外周７ｂに向かって、攪拌翼７の半径の、例えば約１／２の位置まで連続して、基盤２６から上方に隆起した羽根形状で設けられている。一方、外周翼２８は、攪拌翼７の外周７ｂから回転中心７ａに向かって、攪拌翼７の半径の、例えば約１／２の位置まで連続して、基盤２６から上方に隆起した羽根形状で設けられている。
【００３１】
具体的には、中心翼２７は、図１から図３に示すように、攪拌翼７の回転中心７ａに設けられたねじ締結部２６ａを内包し、攪拌翼７の回転中心７ａから放射状に外周７ｂ方向に延設して形成されている。また、中心翼２７は、攪拌翼７の回転中心７ａから外周７ｂに向かうに従って、基盤２６に向かって緩やかに下降傾斜して形成されている。さらに、中心翼２７は、攪拌翼７の回転中心７ａから外周７ｂに向かって、回転方向（円周方向）に対する幅が幅狭になる形状で形成されている。
【００３２】
上記のように形成された中心翼２７は、一方の側面を構成する羽根側面２７ａと、上面を構成する羽根上面２７ｂと、他方の側面を構成する羽根側面２７ｃとを有している。
【００３３】
中心翼２７の羽根上面２７ｂは、被洗濯物が載る面となる。そして、羽根上面２７ｂは、上述したように、攪拌翼７の回転中心７ａから外周７ｂに向かうに従って緩やかに下降傾斜するとともに、幅狭になる形状で形成されている。さらに、羽根上面２７ｂは、攪拌翼７の円周方向に対して中央部分２７ｂｂが最も高く、中央部分２７ｂｂから円周方向の両側（羽根側面２７ａおよび羽根側面２７ｃ側）に緩やかに傾斜する形状で形成されている。
【００３４】
また、中心翼２７の羽根側面２７ａおよび羽根側面２７ｃは、羽根上面２７ｂの外周端から攪拌翼７の円周方向に急激に下降傾斜する形状で形成されている。
【００３５】
このとき、中心翼２７は、攪拌翼７の回転中心７ａ側の基点部における羽根上面２７ｂの円周方向の幅Ｗ１を、中心翼２７の先端部２７ｄの回転軌跡の長さの約１／２０以上に設定している。なお、上記設定は、種々の検討結果から得られたものである。
【００３６】
この構成により、被洗濯物の容量に対して少ない水量で洗いステップを行う場合、被洗濯物の回転駆動によって摩擦力を受ける面積が大きくなる。これにより、被洗濯物を動かしやすくなるため、被洗濯物の位置が入れ替わりやすくなる。その結果、洗いムラを低減することができる。
【００３７】
さらに、攪拌翼７の外周翼２８は、図１から図３に示すように、攪拌翼７の外周７ｂから回転中心７ａに向かって延設して形成されている。また、外周翼２８は、攪拌翼７の外周７ｂ側が最も高く、攪拌翼７の外周７ｂから回転中心７ａに向かうに従って、基盤２６に向かって緩やかに下降傾斜して形成されている。さらに、外周翼２８は、攪拌翼７の外周７ｂから回転中心７ａに向かって、回転方向に対する幅が幅狭になる形状で形成されている。
【００３８】
上記のように形成された外周翼２８は、一方の側面を構成する羽根側面２８ａと、上面を構成する羽根上面２８ｂと、他方の側面を構成する羽根側面２８ｃとを有している。
【００３９】
外周翼２８の羽根上面２８ｂは、被洗濯物が載る面となる。そして、羽根上面２８ｂは、上述したように、攪拌翼７の外周７ｂから回転中心７ａ側に向かうに従って緩やかに下降傾斜するとともに、幅狭になる形状で形成されている。さらに、羽根上面２８ｂは、攪拌翼７の円周方向に対して、中央部分２８ｂｂが最も高く、中央部分２８ｂｂから円周方向の両側（羽根側面２８ａおよび羽根側面２８ｃ側）に緩やかに傾斜する形状で形成されている。
【００４０】
また、外周翼２８の羽根側面２８ａおよび羽根側面２８ｃは、羽根上面２８ｂの外周端から攪拌翼７の円周方向に急激に下降傾斜する形状で形成されている。
【００４１】
このとき、外周翼２８は、基点となる攪拌翼７の外周７ｂにおける羽根上面２８ｂの円周方向の幅Ｗ２を、外周翼２８の外周長さの約１／２０以上に設定している。なお、上記設定は、種々の検討結果から得られたものである。
【００４２】
この構成により、被洗濯物の容量に対して少ない水量で洗いステップを行う場合、被洗濯物の得られる浮力が少なく、羽根上面上に直接接触する状態となる。そのため、攪拌翼の回転駆動によって摩擦力を受ける面積が大きくなる。これにより、被洗濯物を動かしやすくなるため、被洗濯物の位置が入れ替わりやすくなる。その結果、洗いムラを低減できる。
【００４３】
以上のように、本実施の形態の洗濯機に攪拌翼７が構成されている。
【００４４】
以下、上記構成の攪拌翼７の動作および作用について、洗いステップを例に、具体的に説明する。
【００４５】
通常、洗いステップにおいて、被洗濯物２５の容量に対して、少ない洗濯水の水量で洗濯する場合、内槽４内の洗濯水によって被洗濯物２５の得られる浮力が小さい。そのため、被洗濯物２５は洗濯水中を漂わず、沈み込みやすい。沈み込んだ被洗濯物２５は、攪拌翼７付近に、攪拌翼７の凹凸形状にある程度沿って変形した形状となる。これにより、被洗濯物２５が、攪拌翼７の基盤２６よりも、中心翼２７の羽根上面２７ｂおよび外周翼２８の羽根上面２８ｂ上に載ったような状態になる。
【００４６】
上記の状態で、例えば図１に示す攪拌翼７を時計回りに回転駆動すると、中心翼２７は、羽根側面２７ａ、羽根上面２７ｂ、羽根側面２７ｃの順番で、被洗濯物２５を動かす力が強く作用する。そのため、中心翼２７は、上記順番で、被洗濯物２５を動かしやすくなる。
【００４７】
この理由は、羽根側面２７ａ付近の被洗濯物は、攪拌翼７の回転に伴って、羽根側面２７ａと直接接触して回転する。そのため、被洗濯物に、攪拌翼７の回転方向の力が加わりやすい。
【００４８】
また、羽根上面２７ｂ付近の被洗濯物は、内槽４内の洗濯水が少ない場合、洗濯水から得られる浮力が小さいため、羽根上面２７ｂと直接接触する。そのため、羽根上面２７ｂ付近の被洗濯物２５は、攪拌翼７の回転駆動によって、羽根上面２７ｂとの摩擦力により、回転力が付与される。
【００４９】
なお、羽根側面２７ａは、攪拌翼７の回転による羽根側面２７ａの攪拌作用により、回転方向側付近の被洗濯物２５に対して直接的に回転力を付与する。そのため、被洗濯物２５に対する攪拌作用は、羽根側面２７ａの方が、羽根上面２７ｂより大きい。
【００５０】
つまり、羽根側面２７ｃ付近の被洗濯物は、羽根上面２７ｂおよび羽根側面２７ｃによって動かされた被洗濯物と接触することにより動く程度の作用が働くだけである。そのため、羽根側面２７ｃの被洗濯物に対する攪拌作用は、羽根側面２７ａおよび羽根上面２７ｂよりも小さくなる。
【００５１】
また、中心翼２７と同様に、攪拌翼７を時計回りに回転駆動すると、外周翼２８は、図１に示す羽根側面２８ａ、羽根上面２８ｂ、羽根側面２８ｃの順番で被洗濯物２５を動かす力が強く作用する。そのため、外周翼２８は、上記順番で、被洗濯物２５を動かしやすくなる。
【００５２】
この理由は、羽根側面２８ａ付近の被洗濯物は、攪拌翼７の回転に伴って、羽根側面２８ａと直接接触して回転する。そのため、被洗濯物に、攪拌翼７の回転方向の力が加わりやすい。
【００５３】
また、羽根上面２８ｂ付近の被洗濯物は、被洗濯物２５の容量に対する洗い時の洗濯水の水量が少ない場合、洗濯水から得られる浮力が小さい。これにより、羽根上面２８ｂ付近の被洗濯物は、羽根上面２８ｂと直接接触する。そのため、羽根上面２８ｂ付近の被洗濯物２５は、攪拌翼７の回転駆動によって、羽根上面２８ｂとの摩擦力により、回転力が付与される。
【００５４】
なお、羽根側面２８ａは、攪拌翼７の回転による羽根側面２８ａの攪拌作用により、回転方向側付近の被洗濯物２５に対して直接的に回転力を付与する。そのため、被洗濯物に対する攪拌作用は、羽根側面２８ａの方が、羽根上面２８ｂより大きい。
【００５５】
つまり、羽根側面２８ｃ付近の被洗濯物は、羽根上面２８ｂおよび羽根側面２８ａによって動かされた被洗濯物と接触することにより動く程度の作用が働くだけである。そのため、羽根側面２８ｃの被洗濯物に対する攪拌作用は、羽根側面２８ａおよび羽根上面２８ｂよりも小さくなる。
【００５６】
一方、内槽４の底面（攪拌翼７）付近よりも高い位置にある洗濯水内の被洗濯物は、内槽４の回転とともに、底面（攪拌翼７）付近の被洗濯物と絡み合う、あるいは被洗濯物同士が接触する。つまり、攪拌翼７付近の被洗濯物が動くと、高い位置にある被洗濯物は、底面付近の被洗濯物の動きに追従して動く。これにより、上述した被洗濯物の動きと同様の動きが生じる。ただし、被洗濯物の位置が水面（洗濯水の表面（大気側））に近づくにつれて、底面（攪拌翼）付近の被洗濯物の動きによる影響が小さくなるため、水面近傍の被洗濯物の動きは小さくなる。
【００５７】
上述したように、上記構成の攪拌翼７は、中心翼２７による攪拌作用と、外周翼２８による攪拌作用が、被洗濯物に対して同時に作用し、被洗濯物を攪拌する。これにより、効果的に被洗濯物を洗浄することができる。
【００５８】
以下に、上記攪拌翼７の作用により、被洗濯物の位置が入れ替わる状態について、図４から図６を参照して、具体的に説明する。
【００５９】
図４から図６は、同実施の形態に係る洗濯機の洗いステップにおける攪拌翼の回転駆動による被洗濯物の動きを説明する図である。なお、図４から図６は、攪拌翼７が時計回りの方向に回転する場合を例に示している。
【００６０】
具体的には、図４は、攪拌翼７による攪拌前の状態における被洗濯物の位置を示している。図５は、時計回りの回転動作開始直後における被洗濯物の位置を示している。図６は、図５の状態から、さらに攪拌翼７が時計回りに回転した状態における被洗濯物の位置を示している。
【００６１】
まず、図４に示すように、攪拌翼７による攪拌前の状態においては、例えば被洗濯物２５ｂは、中心翼２７の羽根側面２７ａが向かう回転方向側に位置している。同様に、被洗濯物２５ｅ、２５ｈは、外周翼２８の羽根側面２８ａが向かう回転方向側に位置している。そのため、被洗濯物２５ｂ、２５ｅ、２５ｈには、攪拌翼７の回転方向の力が最も働きやすく、その結果、移動量が大きくなる。
【００６２】
具体的には、攪拌翼７が時計回りに回転すると、被洗濯物２５ｂ、２５ｅ、２５ｈは、図４に示す状態から、例えば図５の矢印Ｂ、Ｅ、Ｈで示す方向に移動する。このとき、矢印Ｂは、被洗濯物２５ｂの移動量と移動方向を示している。矢印Ｅは、被洗濯物２５ｅの移動量と移動方向を示している。同様に、矢印Ｈは、被洗濯物２５ｈの移動量と移動方向を示している。
【００６３】
また、図４に示す被洗濯物２５ｃは中心翼２７の羽根上面２７ｂ付近に位置し、被洗濯物２５ｆは外周翼２８羽根上面２８ｂ付近に位置している。そのため、被洗濯物２５ｃ、２５ｆは、中心翼２７の羽根上面２７ｂおよび外周翼２８の羽根上面２８ｂとの接触による摩擦力により移動する。つまり、被洗濯物２５ｃ、２５ｆは、攪拌翼７の回転により、図４に示す状態から、例えば図５の矢印Ｃ、Ｆで示す方向に移動する。このとき、矢印Ｃは被洗濯物２５ｃの移動量と移動方向を示し、矢印Ｆは被洗濯物２５ｆの移動量と移動方向を示している。
【００６４】
また、図４に示す被洗濯物２５ａ、２５ｄ、２５ｇは、移動量の大きい被洗濯物、例えば被洗濯物２５ｂに押されるようにして、図４の状態から、例えば図５の矢印Ａ、Ｄ、Ｇで示す方向に移動する。このとき、矢印Ａは、被洗濯物２５ａの移動量と移動方向を示している。矢印Ｄは、被洗濯物２５ｄの移動量と移動方向を示している。同様に、矢印Ｇは、被洗濯物２５ｇの移動量と移動方向を示している。
【００６５】
なお、図５中に示す矢印の長さは、各被洗濯物の移動量の大きさを、相対的に表している。つまり、被洗濯物の移動量の大きさは、矢印Ｂ、Ｅ、Ｈ＞矢印Ｃ，Ｆ＞矢印Ａ、Ｄ、Ｇの関係になっている。
【００６６】
つぎに、図５の状態から、さらに攪拌翼７を時計回りに回転駆動した状態の被洗濯物の位置について、図５を参照しながら、図６を用いて説明する。
【００６７】
まず、図５示す、例えば中心翼２７の羽根側面２７ａ付近にある移動量の多い被洗濯物２５ｂの回転方向の円周上の移動先には、攪拌力が付与されず、移動量の少ない被洗濯物２５ａがある。そのため、被洗濯物２５ｂは、円周方向への移動が制限される。一方、被洗濯物２５ｂの攪拌翼７の外周７ｂ側では、移動量の多い被洗濯物２５ｅ、２５ｆが回転方向に動くことにより、スペースが形成される。
【００６８】
これにより、被洗濯物２５ａで円周方向の移動が制限された被洗濯物２５ｂは、中心翼２７の攪拌作用により、図６の矢印Ｉで示すように、空いたスペース方向に移動する。その結果、被洗濯物２５ｂは、中心翼２７付近から外周翼２８付近に移動する。
【００６９】
また、図５に示す、外周翼２８付近にある移動量の多い被洗濯物２５ｈの回転方向の円周上の移動先には、攪拌力が付与されず、移動量の少ない被洗濯物２５ｇがある。そのため、被洗濯物２５ｇは、外周翼２８上の円周方向への移動が制限される。一方、被洗濯物２５ｇの攪拌翼７の回転中心７ａ側では、移動量の多い被洗濯物２５ｂ、２５ｃが回転方向に動くことにより、スペースが形成される。
【００７０】
これにより、被洗濯物２５ｇで円周方向の移動が制限された被洗濯物２５ｈは、外周翼２８の攪拌作用により、図６の矢印Ｊで示すように、空いたスペース方向に移動する。その結果、被洗濯物２５ｈは、外周翼２８付近から中心翼２７付近に移動する。
【００７１】
つまり、図４から図６に示す被洗濯物の動作によって、内槽４の内周側に位置する被洗濯物と外周側に位置する被洗濯物との位置が入れ替わる機会が増加する。
【００７２】
一方、従来の洗濯機の攪拌翼の構成では、入れ替わる機会が少ないため、内槽４の内周側の被洗濯物は、外周側の被洗濯物より洗浄効果が小さくなりやすかった。
【００７３】
しかし、本実施の形態の洗濯機によれば、上記で説明したように、攪拌翼７の外周付近の被洗濯物と内周付近の被洗濯物との位置が入れ替わる機会が増加する。これにより、被洗濯物の洗いムラを低減することができる。さらに、少ない洗濯水で洗濯が可能となるため、節水効果も向上する。
【００７４】
また、本実施の形態の洗濯機によれば、特に、被洗濯物の容量に対して洗濯水の使用水量を少なくして洗濯を行う洗いステップにおいて、被洗濯物が浮力を得にくい。この場合、攪拌翼を回転駆動すると、攪拌翼の中心翼および外周翼と、被洗濯物との接触面積が多くなり、被洗濯物に対して大きな摩擦力が働く。これにより、従来の洗濯機よりも、被洗濯物が攪拌されやすくなる。
【００７５】
また、本実施の形態によれば、攪拌翼の中心翼と外周翼は、回転中心に対して円周方向の異なる位置に設ける。そのため、被洗濯物に対して最も作用する部分（位置）が、配設された中心翼と外周翼との角度差の分ずれる。これにより、中心翼との直接的な接触により動き始めた被洗濯物は、外周翼との直接的な接触により動き始めた被洗濯物があったスペースへ移動する。逆に、外周翼との直接的な接触により動き始めた被洗濯物は、中心翼との直接的な接触により動き始めた被洗濯物があったスペースへ移動する。その結果、内槽の中心付近の被洗濯物と外周付近の被洗濯物の互い位置を、容易に入れ替えることができる。さらに、上記構成により、より少ない洗濯水で洗いステップを実行できるので、節水効果の向上と洗いムラの低減を同時に実現できる。
【００７６】
また、本実施の形態によれば、攪拌翼の中心翼と外周翼とを、回転方向に対して交互に設ける。これにより、回転駆動される被洗濯物に対して最も大きく作用する部分と、作用が小さい部分とにずれが発生する。そのため、ずれによる被洗濯物の位置の入れ替わりが、攪拌翼全体で均一的に発生する。その結果、被洗濯物の洗いムラを、より効果的に抑制できる。
【００７７】
また、本実施の形態によれば、攪拌翼の中心翼と外周翼とを、回転方向に等間隔に設ける。これにより、回転駆動される被洗濯物に対して最も大きく作用する部分と、作用が小さい分とにずれが発生する。そのため、ずれによる被洗濯物の位置の入れ替わりが、攪拌翼全体で、より均一的に発生する。その結果、被洗濯物の洗いムラを、さらに効果的に抑制できる。
【００７８】
また、本実施の形態によれば、攪拌翼の中心翼の先端部の回転軌跡が、外周翼の先端部の回転軌跡より径大になるように中心翼と外周翼の半径方向の長さを設定する。これにより、攪拌翼の回転方向の力が作用しない被洗濯物を極力なくすことができる。そのため、被洗濯物の位置の入れ替わりを攪拌翼全体で均一的に発生させることができる。その結果、被洗濯物の洗いムラを、より効果的に低減できる。
【００７９】
また、本実施の形態によれば、攪拌翼の中心翼は、羽根上面と、羽根上面の両側に形成される羽根側面とを有し、中心翼の回転中心側の羽根上面の幅を、中心翼の先端部の回転軌跡の長さの約１／２０以上に設定して設ける。これにより、少ない洗濯水で洗いステップを行う場合、被洗濯物が羽根上面と直接接触する状態となる。そのため、攪拌翼の回転駆動によって摩擦力を受ける面積が多くなり、被洗濯物を動かしやすくなる。その結果、被洗濯物の位置が入れ替わりやすくなるため、被洗濯物の洗いムラの発生をより低減できる。
【００８０】
また、本実施の形態によれば、攪拌翼の外周翼は、羽根上面と、羽根上面の両側に形成される羽根側面とを有し、外周翼の外周側の羽根上面の幅を、攪拌翼の外周の長さの約１／２０以上に設定して設ける。これにより、少ない洗濯水で洗いステップを行う場合、被洗濯物が羽根上面と直接接触する状態となる。そのため、攪拌翼の回転駆動によって摩擦力を受ける面積が多くなり、被洗濯物を動かしやすくなる。その結果、被洗濯物の位置が入れ替わりやすくなるため、被洗濯物の洗いムラ発生をより低減できる。
【００８１】
また、本実施の形態によれば、攪拌翼の中心翼の半径方向の長さを、攪拌翼の半径の約１／２に設定して設ける。これにより、被洗濯物の位置の入れ替わりを、内槽の中心付近と外周付近で均一的に発生させることができる。その結果、被洗濯物の洗いムラをより低減できる。
【００８２】
また、本実施の形態によれば、外周翼の半径方向の長さを、攪拌翼の半径の１／２に設定して設ける。これにより、被洗濯物の位置の入れ替わりを、内槽の中心付近と外周付近で均一的に発生させることができる。その結果、被洗濯物の洗いムラをより低減できる。
【００８３】
また、本実施の形態によれば、中心翼の羽根上面を、攪拌翼の外周方向に向かうにつれて、攪拌翼の基盤に近づくように下降傾斜して設ける。これにより、外周側に位置する洗濯物を外周翼によって移動させることができる。その結果、被洗濯物の位置が入れ替わりやすくなるため、洗いムラを低減できる。
【００８４】
また、本実施の形態によれば、中心翼の羽根上面を、攪拌翼の円周方向の両側に設けられた羽根側面に向かうにつれて、攪拌翼の基盤に近づくように下降傾斜して設ける。これにより、攪拌翼の中心側に位置する被洗濯物を中心翼の羽根上面側に移動させることができる。その結果、被洗濯物の位置が入れ替わりやすくなるため、洗いムラを低減できる。
【００８５】
また、本実施の形態によれば、中心翼の羽根上面を、攪拌翼の外周方向に向かうにつれて、円周方向の幅が狭くなるように設ける。これにより、攪拌翼の中心側に位置する被洗濯物を外周側に向かって移動させることができる。その結果、被洗濯物の位置が入れ替わりやすくなるため、洗いムラを低減できる。
【００８６】
また、本実施の形態によれば、外周翼の羽根上面を、攪拌翼の回転中心方向に向かうにつれて、攪拌翼の基盤に近づくように下降傾斜して設ける。これにより、内周側に位置する洗濯物を中心翼によって移動させることができる。その結果、被洗濯物の位置が入れ替わりやすくなるため、洗いムラを低減できる。
【００８７】
また、本実施の形態によれば、外周翼の羽根上面を、攪拌翼の円周方向の両側に設けられた羽根側面に向かうにつれて、攪拌翼の基盤に近づくように下降傾斜して設ける。これにより、攪拌翼の外周側に位置する洗濯物を外周翼の羽根上面側に移動させることができる。その結果、被洗濯物の位置が入れ替わりやすくなるため、洗いムラを低減できる。
【００８８】
また、本実施の形態によれば、外周翼の羽根上面を、攪拌翼の回転中心方向に向かうにつれて、円周方向の幅が狭くなるように設ける。これにより、攪拌翼の外周側に位置する被洗濯物を内周側に向かって移動させることができる。その結果、被洗濯物の位置が入れ替わりやすくなるため、洗いムラを低減できる。
【産業上の利用可能性】
【００８９】
本発明は、被洗濯物の容量に対して使用水量が少ない場合でも、洗いムラの低減が要望される洗濯機などの洗浄機器などの分野に広く利用することができる。
【符号の説明】
【００９０】
１    筐体
２    サスペンション
３    外槽
４    内槽
５，２９    小孔
６    バランサ
７    攪拌翼
７ａ    回転中心
７ｂ    外周
８    駆動軸
９    減速機構
１０    モータ
１１    制御部
１５    給水弁
１６    蓋
２２    排水ホース
２３    クラッチ
２５，２５ａ，２５ｂ，２５ｃ，２５ｄ，２５ｅ，２５ｆ，２５ｇ，２５ｈ    被洗濯物
２６    基盤
２６ａ    ねじ締結部
２７    中心翼
２７ａ，２７ｃ，２８ａ，２８ｃ    羽根側面
２７ｂ，２８ｂ    羽根上面
２７ｂｂ，２８ｂｂ    中央部分
２７ｄ    先端部
２８    外周翼
【図１】
2015141209.tif 000003
【図２】
2015141209.tif 000004
【図３】
2015141209.tif 000005
【図４】
2015141209.tif 000006
【図５】
2015141209.tif 000007
【図６】
2015141209.tif 000008
【図７】
2015141209.tif 000009
【手続補正書】
【提出日】平成28年7月8日(2016.7.8)
【手続補正１】
【補正対象書類名】明細書
【補正対象項目名】全文
【補正方法】変更
【補正の内容】
【発明の詳細な説明】
【技術分野】
【０００１】
本発明は、洗濯機に洗濯槽を回転自在に配設し、洗濯槽内の洗濯衣類を洗濯する洗濯機に関する。
【背景技術】
【０００２】
従来、洗濯槽の底部に攪拌翼を回転自在に配設し、攪拌翼が生成する水流により被洗濯物を洗濯する洗濯機が知られている（例えば、特許文献１参照）。
【０００３】
上記洗濯機は、以下に示す相乗効果により、被洗濯物に洗浄効果を与えている。具体的には、攪拌翼の回転動作によって生じる水流の効果と、攪拌翼に設けられた隆起状の羽根が被洗濯物を直接動かす効果である。つまり、上記作用・効果は、被洗濯物の形状の一時的な変形と、被洗濯物同士の接触による摩擦、被洗濯物と内槽の側壁との接触による摩擦によって汚れを被洗濯物から引き離すことを狙いとしている。
【０００４】
しかし、通常、攪拌翼の回転動作中において、被洗濯物は、回転中心にあるほど小さい回転半径で、攪拌翼の外周付近にあるほど大きい回転半径で攪拌される。そのため、被洗濯物の配置位置により、同じ洗濯槽内の被洗濯物でも洗浄効果にばらつき（洗いムラ）が生じる。そこで、従来の洗濯機は、攪拌翼を構成する基盤や、基盤に設けられる隆起状の羽根の形状を工夫して、攪拌翼で複雑な水流を発生させている。これにより、洗濯水中を移動する被洗濯物の位置が入れ替わる機会を増やし、洗浄性能のばらつきを低減している。
【０００５】
近年、洗濯容量の大容量化が進む一方で、節水意識の高まりにより、洗濯水としての使用水量をできる限り少なく設定した洗濯機が開発されている。
【０００６】
上記の洗濯機は、被洗濯物の容量に対して洗い時の洗濯水の水量が少ない。そのため、洗濯水中において、被洗濯物が得られる浮力が少なくなり、沈み込みやすい。このとき、沈み込んだ被洗濯物は、攪拌翼の凹凸形状にある程度沿って変形するため、攪拌翼の上面に被洗濯物の重量がかかりやすい状態になる。上記の状態の場合、被洗濯物は、水流の効果よりも、攪拌翼の羽根との直接接触による動かされる効果の寄与度が大きくなる。そのため、従来の洗濯機の攪拌翼の構成では、特に洗濯水の水量が少ない場合、被洗濯物同士の位置の入れ替わる機会が少なくなる。その結果、被洗濯物の洗いムラが生じやすいと言う課題があった。
【先行技術文献】
【特許文献】
【０００７】
【特許文献１】特開２００４−３２１６２９号公報
【発明の概要】
【０００８】
本発明は、被洗濯物の容量に対して、洗濯水の使用水量が少ない場合でも、洗いムラが生じにくい洗濯機を提供する。
【０００９】
つまり、本発明の洗濯機は、上方に開口して被洗濯物および洗濯水を収容する内槽と、内槽の内底部に配設され、回転駆動部によって回転駆動される攪拌翼を有する。さらに、攪拌翼は、回転中心から外周に向かって攪拌翼の基盤から上方に隆起して形成された中心翼と、外周から回転中心に向かって攪拌翼の基盤から上方に隆起して形成された外周翼とを備える。そして、中心翼と外周翼とは、攪拌翼の円周方向の異なる位置に配設される。
【００１０】
これにより、被洗濯物の容量に対して、洗濯水の使用水量が少ない場合でも、攪拌翼の回転動作によって、被洗濯物同士の位置が入れ替わる機会を増加させることができる。その結果、被洗濯物の洗いムラの生じにくい洗濯機を実現できる。
【図面の簡単な説明】
【００１１】
【図１】図１は、本発明の実施の形態に係る洗濯機の攪拌翼の構成を示す平面図である。
【図２】図２は、図１の攪拌翼の２−２線矢視断面図である。
【図３】図３は、同実施の形態に係る洗濯機の攪拌翼の斜視図である。
【図４】図４は、同実施の形態に係る洗濯機の洗いステップにおける攪拌翼の回転駆動による被洗濯物の動きを説明する図である。
【図５】図５は、同実施の形態に係る洗濯機の洗いステップにおける攪拌翼の回転駆動による被洗濯物の動きを説明する図である。
【図６】図６は、同実施の形態に係る洗濯機の洗いステップにおける攪拌翼の回転駆動による被洗濯物の動きを説明する図である。
【図７】図７は、同実施の形態に係る洗濯機の断面図である。
【発明を実施するための形態】
【００１２】
以下、本発明の実施の形態について、図面を参照しながら説明する。なお、この実施の形態によって本発明が限定されるものではない。
【００１３】
（実施の形態）
以下に、本発明の実施の形態における洗濯機の概略構造について、図７を用いて説明する。なお、本実施の形態の洗濯機は、洗濯から脱水までを全自動で実施する全自動洗濯機の構成を例に、説明する。
【００１４】
図７は、本発明の実施の形態に係る洗濯機の断面図である。
【００１５】
図７に示すように、本実施の形態の洗濯機は、少なくとも筐体１と、筐体１内に収容される外槽３と、内槽４と、モータ１０と、制御部１１などを備えている。外槽３は、筐体１の内部に配設され、複数のサスペンション２によって筐体１に弾性支持されている。これにより、脱水時などで発生する外槽３の振動をサスペンション２によって吸収し、外部への騒音や振動の伝達を低減している。内槽４は外槽３内に配設され、内槽４の内底部には攪拌翼７が配設されている。
【００１６】
また、モータ１０は、外槽３の底部に取り付けられ、クラッチ２３を介して内槽４と攪拌翼７に連結されている。そして、モータ１０の回転をクラッチ２３で切り替えることにより、内槽４と攪拌翼７とが個別に回転駆動される。このとき、モータ１０の出力は、減速機構９を介して、内槽４の駆動軸８に伝達され、内槽４を回転駆動する。
【００１７】
また、内槽４の上部にはバランサ６が配設され、バランサ６は内槽４を回転させた際に発生する内槽４の振動を抑制する。
【００１８】
以上のように、本実施の形態の洗濯機が構成されている。
【００１９】
以下に、本実施の形態の洗濯機の動作について、説明する。
【００２０】
まず、使用者は、筐体１の上面に設けられた蓋１６を開き、内槽４内に被洗濯物２５と洗剤などを投入して、洗濯機の運転を開始する。
【００２１】
運転を開始すると、制御部１１は、給水弁１５を開放して内槽４内に給水し、モータ１０を介して攪拌翼７を回転駆動する。これにより、攪拌翼７の回転による水流と被洗濯物２５との接触による攪拌により、洗いステップが実施される。
【００２２】
つぎに、所定時間の洗いステップが完了すると、制御部１１は、内槽４内の汚れた洗濯後の水を排水ホース２２を介して排水する。そして、排水が完了すると、すすぎステップを実施する。
【００２３】
すすぎステップでは、制御部１１は、給水弁１５を開放し、新たに内槽４内に給水する。さらに、制御部１１は、給水された水と被洗濯物２５とを攪拌翼７によって攪拌し、被洗濯物２５をすすぐ。そして、すすぎステップが終了すると、脱水ステップを実施する。
【００２４】
脱水ステップでは、制御部１１は、モータ１０の回転をクラッチ２３により内槽４に切り換えて伝達し、内槽４を回転駆動する。そして、内槽４の回転駆動により、被洗濯物２５に含まれる洗濯水が、遠心力によって脱水され、内槽４の周面に形成された小孔５から外槽３内に排出される。これにより、洗いステップから脱水ステップに至る一連のステップが完了する。なお、上記一連のステップは、制御部１１によって制御され、本実施の形態の全自動洗濯機の場合、全自動で実行される。
【００２５】
つまり、本実施の形態では、洗いステップにおける攪拌翼７による水流と被洗濯物２５の攪拌が、洗いムラなどの洗浄性能を左右する要件となる。
【００２６】
そこで、本実施の形態に係る攪拌翼７は、以下に述べるように、被洗濯物の容量に対して、洗濯水の水量が少ない状態において、回転中心付近の被洗濯物と外周付近の被洗濯物との入れ替わる機会を増加させるように構成している。これにより、洗いムラの低減を図っている。さらに、少ない水量で洗濯動作が可能となるため、節水などの効果も向上することができる。
【００２７】
以下に、本実施の形態に係る洗濯機の攪拌翼７の構成について、図１および図２を参照して、説明する。
【００２８】
本実施の形態の攪拌翼７は、図１および図２に示すように、少なくとも基盤２６と、基盤２６に設けられた中心翼２７と、外周翼２８などから構成されている。基盤２６は、略円形状（円形を含む）で構成され、水平あるいは外周７ｂに向かうに従って上方に傾斜する傾斜曲面で形成されている。さらに、基盤２６には、多数の小孔２９が形成されている。これにより、内槽内の洗濯水を小孔２９を通して効率よく排水できる。また、基盤２６による攪拌時に、洗濯水を小孔２９を通して対流させることができる。その結果、洗濯効率などを向上することができる。中心翼２７は、基盤２６上に回転中心７ａから外周７ｂに向かって、例えば放射状に設けられている。外周翼２８は、基盤２６上に攪拌翼７の外周７ｂから回転中心７ａに向かって、例えば逆放射状に設けられている。
【００２９】
なお、本実施の形態では、一例として、中心翼２７と外周翼２８をそれぞれ３箇所ずつ等間隔に形成した構成で示している。具体的には、中心翼２７に対して外周翼２８、あるいは外周翼２８に対して中心翼２７を互いに、攪拌翼７の回転中心７ａに対して、６０度変位させた位置に設けている。
【００３０】
そして、攪拌翼７の中心翼２７は、攪拌翼７の回転中心７ａから外周７ｂに向かって、攪拌翼７の半径の、例えば約１／２の位置まで連続して、基盤２６から上方に隆起した羽根形状で設けられている。一方、外周翼２８は、攪拌翼７の外周７ｂから回転中心７ａに向かって、攪拌翼７の半径の、例えば約１／２の位置まで連続して、基盤２６から上方に隆起した羽根形状で設けられている。
【００３１】
具体的には、中心翼２７は、図１から図３に示すように、攪拌翼７の回転中心７ａに設けられたねじ締結部２６ａを内包し、攪拌翼７の回転中心７ａから放射状に外周７ｂ方向に延設して形成されている。また、中心翼２７は、攪拌翼７の回転中心７ａから外周７ｂに向かうに従って、基盤２６に向かって緩やかに下降傾斜して形成されている。さらに、中心翼２７は、攪拌翼７の回転中心７ａから外周７ｂに向かって、回転方向（円周方向）に対する幅が幅狭になる形状で形成されている。
【００３２】
上記のように形成された中心翼２７は、一方の側面を構成する羽根側面２７ａと、上面を構成する羽根上面２７ｂと、他方の側面を構成する羽根側面２７ｃとを有している。
【００３３】
中心翼２７の羽根上面２７ｂは、被洗濯物が載る面となる。そして、羽根上面２７ｂは、上述したように、攪拌翼７の回転中心７ａから外周７ｂに向かうに従って緩やかに下降傾斜するとともに、幅狭になる形状で形成されている。さらに、羽根上面２７ｂは、攪拌翼７の円周方向に対して中央部分２７ｂｂが最も高く、中央部分２７ｂｂから円周方向の両側（羽根側面２７ａおよび羽根側面２７ｃ側）に緩やかに傾斜する形状で形成されている。
【００３４】
また、中心翼２７の羽根側面２７ａおよび羽根側面２７ｃは、羽根上面２７ｂの外周端から攪拌翼７の円周方向に急激に下降傾斜する形状で形成されている。
【００３５】
このとき、中心翼２７は、攪拌翼７の回転中心７ａ側の基点部における羽根上面２７ｂの円周方向の幅Ｗ１を、中心翼２７の先端部２７ｄの回転軌跡の長さの約１／２０以上に設定している。なお、上記設定は、種々の検討結果から得られたものである。
【００３６】
この構成により、被洗濯物の容量に対して少ない水量で洗いステップを行う場合、被洗濯物の回転駆動によって摩擦力を受ける面積が大きくなる。これにより、被洗濯物を動かしやすくなるため、被洗濯物の位置が入れ替わりやすくなる。その結果、洗いムラを低減することができる。
【００３７】
さらに、攪拌翼７の外周翼２８は、図１から図３に示すように、攪拌翼７の外周７ｂから回転中心７ａに向かって延設して形成されている。また、外周翼２８は、攪拌翼７の外周７ｂ側が最も高く、攪拌翼７の外周７ｂから回転中心７ａに向かうに従って、基盤２６に向かって緩やかに下降傾斜して形成されている。さらに、外周翼２８は、攪拌翼７の外周７ｂから回転中心７ａに向かって、回転方向に対する幅が幅狭になる形状で形成されている。
【００３８】
上記のように形成された外周翼２８は、一方の側面を構成する羽根側面２８ａと、上面を構成する羽根上面２８ｂと、他方の側面を構成する羽根側面２８ｃとを有している。
【００３９】
外周翼２８の羽根上面２８ｂは、被洗濯物が載る面となる。そして、羽根上面２８ｂは、上述したように、攪拌翼７の外周７ｂから回転中心７ａ側に向かうに従って緩やかに下降傾斜するとともに、幅狭になる形状で形成されている。さらに、羽根上面２８ｂは、攪拌翼７の円周方向に対して、中央部分２８ｂｂが最も高く、中央部分２８ｂｂから円周方向の両側（羽根側面２８ａおよび羽根側面２８ｃ側）に緩やかに傾斜する形状で形成されている。
【００４０】
また、外周翼２８の羽根側面２８ａおよび羽根側面２８ｃは、羽根上面２８ｂの外周端から攪拌翼７の円周方向に急激に下降傾斜する形状で形成されている。
【００４１】
このとき、外周翼２８は、基点となる攪拌翼７の外周７ｂにおける羽根上面２８ｂの円周方向の幅Ｗ２を、外周翼２８の外周長さの約１／２０以上に設定している。なお、上記設定は、種々の検討結果から得られたものである。
【００４２】
この構成により、被洗濯物の容量に対して少ない水量で洗いステップを行う場合、被洗濯物の得られる浮力が少なく、羽根上面上に直接接触する状態となる。そのため、攪拌翼の回転駆動によって摩擦力を受ける面積が大きくなる。これにより、被洗濯物を動かしやすくなるため、被洗濯物の位置が入れ替わりやすくなる。その結果、洗いムラを低減できる。
【００４３】
以上のように、本実施の形態の洗濯機に攪拌翼７が構成されている。
【００４４】
以下、上記構成の攪拌翼７の動作および作用について、洗いステップを例に、具体的に説明する。
【００４５】
通常、洗いステップにおいて、被洗濯物２５の容量に対して、少ない洗濯水の水量で洗濯する場合、内槽４内の洗濯水によって被洗濯物２５の得られる浮力が小さい。そのため、被洗濯物２５は洗濯水中を漂わず、沈み込みやすい。沈み込んだ被洗濯物２５は、攪拌翼７付近に、攪拌翼７の凹凸形状にある程度沿って変形した形状となる。これにより、被洗濯物２５が、攪拌翼７の基盤２６よりも、中心翼２７の羽根上面２７ｂおよび外周翼２８の羽根上面２８ｂ上に載ったような状態になる。
【００４６】
上記の状態で、例えば図１に示す攪拌翼７を時計回りに回転駆動すると、中心翼２７は、羽根側面２７ａ、羽根上面２７ｂ、羽根側面２７ｃの順番で、被洗濯物２５を動かす力が強く作用する。そのため、中心翼２７は、上記順番で、被洗濯物２５を動かしやすくなる。
【００４７】
この理由は、羽根側面２７ａ付近の被洗濯物は、攪拌翼７の回転に伴って、羽根側面２７ａと直接接触して回転する。そのため、被洗濯物に、攪拌翼７の回転方向の力が加わりやすい。
【００４８】
また、羽根上面２７ｂ付近の被洗濯物は、内槽４内の洗濯水が少ない場合、洗濯水から得られる浮力が小さいため、羽根上面２７ｂと直接接触する。そのため、羽根上面２７ｂ付近の被洗濯物２５は、攪拌翼７の回転駆動によって、羽根上面２７ｂとの摩擦力により、回転力が付与される。
【００４９】
なお、羽根側面２７ａは、攪拌翼７の回転による羽根側面２７ａの攪拌作用により、回転方向側付近の被洗濯物２５に対して直接的に回転力を付与する。そのため、被洗濯物２５に対する攪拌作用は、羽根側面２７ａの方が、羽根上面２７ｂより大きい。
【００５０】
つまり、羽根側面２７ｃ付近の被洗濯物は、羽根上面２７ｂおよび羽根側面２７ａによって動かされた被洗濯物と接触することにより動く程度の作用が働くだけである。そのため、羽根側面２７ｃの被洗濯物に対する攪拌作用は、羽根側面２７ａおよび羽根上面２７ｂよりも小さくなる。
【００５１】
また、中心翼２７と同様に、攪拌翼７を時計回りに回転駆動すると、外周翼２８は、図１に示す羽根側面２８ａ、羽根上面２８ｂ、羽根側面２８ｃの順番で被洗濯物２５を動かす力が強く作用する。そのため、外周翼２８は、上記順番で、被洗濯物２５を動かしやすくなる。
【００５２】
この理由は、羽根側面２８ａ付近の被洗濯物は、攪拌翼７の回転に伴って、羽根側面２８ａと直接接触して回転する。そのため、被洗濯物に、攪拌翼７の回転方向の力が加わりやすい。
【００５３】
また、羽根上面２８ｂ付近の被洗濯物は、被洗濯物２５の容量に対する洗い時の洗濯水の水量が少ない場合、洗濯水から得られる浮力が小さい。これにより、羽根上面２８ｂ付近の被洗濯物は、羽根上面２８ｂと直接接触する。そのため、羽根上面２８ｂ付近の被洗濯物２５は、攪拌翼７の回転駆動によって、羽根上面２８ｂとの摩擦力により、回転力が付与される。
【００５４】
なお、羽根側面２８ａは、攪拌翼７の回転による羽根側面２８ａの攪拌作用により、回転方向側付近の被洗濯物２５に対して直接的に回転力を付与する。そのため、被洗濯物に対する攪拌作用は、羽根側面２８ａの方が、羽根上面２８ｂより大きい。
【００５５】
つまり、羽根側面２８ｃ付近の被洗濯物は、羽根上面２８ｂおよび羽根側面２８ａによって動かされた被洗濯物と接触することにより動く程度の作用が働くだけである。そのため、羽根側面２８ｃの被洗濯物に対する攪拌作用は、羽根側面２８ａおよび羽根上面２８ｂよりも小さくなる。
【００５６】
一方、内槽４の底面（攪拌翼７）付近よりも高い位置にある洗濯水内の被洗濯物は、内槽４の回転とともに、底面（攪拌翼７）付近の被洗濯物と絡み合う、あるいは被洗濯物同士が接触する。つまり、攪拌翼７付近の被洗濯物が動くと、高い位置にある被洗濯物は、底面付近の被洗濯物の動きに追従して動く。これにより、上述した被洗濯物の動きと同様の動きが生じる。ただし、被洗濯物の位置が水面（洗濯水の表面（大気側））に近づくにつれて、底面（攪拌翼）付近の被洗濯物の動きによる影響が小さくなるため、水面近傍の被洗濯物の動きは小さくなる。
【００５７】
上述したように、上記構成の攪拌翼７は、中心翼２７による攪拌作用と、外周翼２８による攪拌作用が、被洗濯物に対して同時に作用し、被洗濯物を攪拌する。これにより、効果的に被洗濯物を洗浄することができる。
【００５８】
以下に、上記攪拌翼７の作用により、被洗濯物の位置が入れ替わる状態について、図４から図６を参照して、具体的に説明する。
【００５９】
図４から図６は、同実施の形態に係る洗濯機の洗いステップにおける攪拌翼の回転駆動による被洗濯物の動きを説明する図である。なお、図４から図６は、攪拌翼７が時計回りの方向に回転する場合を例に示している。
【００６０】
具体的には、図４は、攪拌翼７による攪拌前の状態における被洗濯物の位置を示している。図５は、時計回りの回転動作開始直後における被洗濯物の位置を示している。図６は、図５の状態から、さらに攪拌翼７が時計回りに回転した状態における被洗濯物の位置を示している。
【００６１】
まず、図４に示すように、攪拌翼７による攪拌前の状態においては、例えば被洗濯物２５ｂは、中心翼２７の羽根側面２７ａが向かう回転方向側に位置している。同様に、被洗濯物２５ｅ、２５ｈは、外周翼２８の羽根側面２８ａが向かう回転方向側に位置している。そのため、被洗濯物２５ｂ、２５ｅ、２５ｈには、攪拌翼７の回転方向の力が最も働きやすく、その結果、移動量が大きくなる。
【００６２】
具体的には、攪拌翼７が時計回りに回転すると、被洗濯物２５ｂ、２５ｅ、２５ｈは、図４に示す状態から、例えば図５の矢印Ｂ、Ｅ、Ｈで示す方向に移動する。このとき、矢印Ｂは、被洗濯物２５ｂの移動量と移動方向を示している。矢印Ｅは、被洗濯物２５ｅの移動量と移動方向を示している。同様に、矢印Ｈは、被洗濯物２５ｈの移動量と移動方向を示している。
【００６３】
また、図４に示す被洗濯物２５ｃは中心翼２７の羽根上面２７ｂ付近に位置し、被洗濯物２５ｆは外周翼２８羽根上面２８ｂ付近に位置している。そのため、被洗濯物２５ｃ、２５ｆは、中心翼２７の羽根上面２７ｂおよび外周翼２８の羽根上面２８ｂとの接触による摩擦力により移動する。つまり、被洗濯物２５ｃ、２５ｆは、攪拌翼７の回転により、図４に示す状態から、例えば図５の矢印Ｃ、Ｆで示す方向に移動する。このとき、矢印Ｃは被洗濯物２５ｃの移動量と移動方向を示し、矢印Ｆは被洗濯物２５ｆの移動量と移動方向を示している。
【００６４】
また、図４に示す被洗濯物２５ａ、２５ｄ、２５ｇは、移動量の大きい被洗濯物、例えば被洗濯物２５ｂに押されるようにして、図４の状態から、例えば図５の矢印Ａ、Ｄ、Ｇで示す方向に移動する。このとき、矢印Ａは、被洗濯物２５ａの移動量と移動方向を示している。矢印Ｄは、被洗濯物２５ｄの移動量と移動方向を示している。同様に、矢印Ｇは、被洗濯物２５ｇの移動量と移動方向を示している。
【００６５】
なお、図５中に示す矢印の長さは、各被洗濯物の移動量の大きさを、相対的に表している。つまり、被洗濯物の移動量の大きさは、矢印Ｂ、Ｅ、Ｈ＞矢印Ｃ，Ｆ＞矢印Ａ、Ｄ、Ｇの関係になっている。
【００６６】
つぎに、図５の状態から、さらに攪拌翼７を時計回りに回転駆動した状態の被洗濯物の位置について、図５を参照しながら、図６を用いて説明する。
【００６７】
まず、図５示す、例えば中心翼２７の羽根側面２７ａ付近にある移動量の多い被洗濯物２５ｂの回転方向の円周上の移動先には、攪拌力が付与されず、移動量の少ない被洗濯物２５ａがある。そのため、被洗濯物２５ｂは、円周方向への移動が制限される。一方、被洗濯物２５ｂの攪拌翼７の外周７ｂ側では、移動量の多い被洗濯物２５ｅ、２５ｆが回転方向に動くことにより、スペースが形成される。
【００６８】
これにより、被洗濯物２５ａで円周方向の移動が制限された被洗濯物２５ｂは、中心翼２７の攪拌作用により、図６の矢印Ｉで示すように、空いたスペース方向に移動する。その結果、被洗濯物２５ｂは、中心翼２７付近から外周翼２８付近に移動する。
【００６９】
また、図５に示す、外周翼２８付近にある移動量の多い被洗濯物２５ｈの回転方向の円周上の移動先には、攪拌力が付与されず、移動量の少ない被洗濯物２５ｇがある。そのため、被洗濯物２５ｇは、外周翼２８上の円周方向への移動が制限される。一方、被洗濯物２５ｇの攪拌翼７の回転中心７ａ側では、移動量の多い被洗濯物２５ｂ、２５ｃが回転方向に動くことにより、スペースが形成される。
【００７０】
これにより、被洗濯物２５ｇで円周方向の移動が制限された被洗濯物２５ｈは、外周翼２８の攪拌作用により、図６の矢印Ｊで示すように、空いたスペース方向に移動する。その結果、被洗濯物２５ｈは、外周翼２８付近から中心翼２７付近に移動する。
【００７１】
つまり、図４から図６に示す被洗濯物の動作によって、内槽４の内周側に位置する被洗濯物と外周側に位置する被洗濯物との位置が入れ替わる機会が増加する。
【００７２】
一方、従来の洗濯機の攪拌翼の構成では、入れ替わる機会が少ないため、内槽４の内周側の被洗濯物は、外周側の被洗濯物より洗浄効果が小さくなりやすかった。
【００７３】
しかし、本実施の形態の洗濯機によれば、上記で説明したように、攪拌翼７の外周付近の被洗濯物と内周付近の被洗濯物との位置が入れ替わる機会が増加する。これにより、被洗濯物の洗いムラを低減することができる。さらに、少ない洗濯水で洗濯が可能となるため、節水効果も向上する。
【００７４】
また、本実施の形態の洗濯機によれば、特に、被洗濯物の容量に対して洗濯水の使用水量を少なくして洗濯を行う洗いステップにおいて、被洗濯物が浮力を得にくい。この場合、攪拌翼を回転駆動すると、攪拌翼の中心翼および外周翼と、被洗濯物との接触面積が多くなり、被洗濯物に対して大きな摩擦力が働く。これにより、従来の洗濯機よりも、被洗濯物が攪拌されやすくなる。
【００７５】
また、本実施の形態によれば、攪拌翼の中心翼と外周翼は、回転中心に対して円周方向の異なる位置に設ける。そのため、被洗濯物に対して最も作用する部分（位置）が、配設された中心翼と外周翼との角度差の分ずれる。これにより、中心翼との直接的な接触により動き始めた被洗濯物は、外周翼との直接的な接触により動き始めた被洗濯物があったスペースへ移動する。逆に、外周翼との直接的な接触により動き始めた被洗濯物は、中心翼との直接的な接触により動き始めた被洗濯物があったスペースへ移動する。その結果、内槽の中心付近の被洗濯物と外周付近の被洗濯物の互い位置を、容易に入れ替えることができる。さらに、上記構成により、より少ない洗濯水で洗いステップを実行できるので、節水効果の向上と洗いムラの低減を同時に実現できる。
【００７６】
また、本実施の形態によれば、攪拌翼の中心翼と外周翼とを、回転方向に対して交互に設ける。これにより、回転駆動される被洗濯物に対して最も大きく作用する部分と、作用が小さい部分とにずれが発生する。そのため、ずれによる被洗濯物の位置の入れ替わりが、攪拌翼全体で均一的に発生する。その結果、被洗濯物の洗いムラを、より効果的に抑制できる。
【００７７】
また、本実施の形態によれば、攪拌翼の中心翼と外周翼とを、回転方向に等間隔に設ける。これにより、回転駆動される被洗濯物に対して最も大きく作用する部分と、作用が小さい分とにずれが発生する。そのため、ずれによる被洗濯物の位置の入れ替わりが、攪拌翼全体で、より均一的に発生する。その結果、被洗濯物の洗いムラを、さらに効果的に抑制できる。
【００７８】
また、本実施の形態によれば、攪拌翼の中心翼の先端部の回転軌跡が、外周翼の先端部の回転軌跡より径大になるように中心翼と外周翼の半径方向の長さを設定する。これにより、攪拌翼の回転方向の力が作用しない被洗濯物を極力なくすことができる。そのため、被洗濯物の位置の入れ替わりを攪拌翼全体で均一的に発生させることができる。その結果、被洗濯物の洗いムラを、より効果的に低減できる。
【００７９】
また、本実施の形態によれば、攪拌翼の中心翼は、羽根上面と、羽根上面の両側に形成される羽根側面とを有し、中心翼の回転中心側の羽根上面の幅を、中心翼の先端部の回転軌跡の長さの約１／２０以上に設定して設ける。これにより、少ない洗濯水で洗いステップを行う場合、被洗濯物が羽根上面と直接接触する状態となる。そのため、攪拌翼の回転駆動によって摩擦力を受ける面積が多くなり、被洗濯物を動かしやすくなる。その結果、被洗濯物の位置が入れ替わりやすくなるため、被洗濯物の洗いムラの発生をより低減できる。
【００８０】
また、本実施の形態によれば、攪拌翼の外周翼は、羽根上面と、羽根上面の両側に形成される羽根側面とを有し、外周翼の外周側の羽根上面の幅を、攪拌翼の外周の長さの約１／２０以上に設定して設ける。これにより、少ない洗濯水で洗いステップを行う場合、被洗濯物が羽根上面と直接接触する状態となる。そのため、攪拌翼の回転駆動によって摩擦力を受ける面積が多くなり、被洗濯物を動かしやすくなる。その結果、被洗濯物の位置が入れ替わりやすくなるため、被洗濯物の洗いムラ発生をより低減できる。
【００８１】
また、本実施の形態によれば、攪拌翼の中心翼の半径方向の長さを、攪拌翼の半径の約１／２に設定して設ける。これにより、被洗濯物の位置の入れ替わりを、内槽の中心付近と外周付近で均一的に発生させることができる。その結果、被洗濯物の洗いムラをより低減できる。
【００８２】
また、本実施の形態によれば、外周翼の半径方向の長さを、攪拌翼の半径の１／２に設定して設ける。これにより、被洗濯物の位置の入れ替わりを、内槽の中心付近と外周付近で均一的に発生させることができる。その結果、被洗濯物の洗いムラをより低減できる。
【００８３】
また、本実施の形態によれば、中心翼の羽根上面を、攪拌翼の外周方向に向かうにつれて、攪拌翼の基盤に近づくように下降傾斜して設ける。これにより、内周側に位置する洗濯物を中心翼によって移動させることができる。その結果、被洗濯物の位置が入れ替わりやすくなるため、洗いムラを低減できる。
【００８４】
また、本実施の形態によれば、中心翼の羽根上面を、攪拌翼の円周方向の両側に設けられた羽根側面に向かうにつれて、攪拌翼の基盤に近づくように下降傾斜して設ける。これにより、攪拌翼の中心側に位置する被洗濯物を中心翼の羽根上面側に移動させることができる。その結果、被洗濯物の位置が入れ替わりやすくなるため、洗いムラを低減できる。
【００８５】
また、本実施の形態によれば、中心翼の羽根上面を、攪拌翼の外周方向に向かうにつれて、円周方向の幅が狭くなるように設ける。これにより、攪拌翼の中心側に位置する被洗濯物を外周側に向かって移動させることができる。その結果、被洗濯物の位置が入れ替わりやすくなるため、洗いムラを低減できる。
【００８６】
また、本実施の形態によれば、外周翼の羽根上面を、攪拌翼の回転中心方向に向かうにつれて、攪拌翼の基盤に近づくように下降傾斜して設ける。これにより、外周側に位置する洗濯物を外周翼によって移動させることができる。その結果、被洗濯物の位置が入れ替わりやすくなるため、洗いムラを低減できる。
【００８７】
また、本実施の形態によれば、外周翼の羽根上面を、攪拌翼の円周方向の両側に設けられた羽根側面に向かうにつれて、攪拌翼の基盤に近づくように下降傾斜して設ける。これにより、攪拌翼の外周側に位置する洗濯物を外周翼の羽根上面側に移動させることができる。その結果、被洗濯物の位置が入れ替わりやすくなるため、洗いムラを低減できる。
【００８８】
また、本実施の形態によれば、外周翼の羽根上面を、攪拌翼の回転中心方向に向かうにつれて、円周方向の幅が狭くなるように設ける。これにより、攪拌翼の外周側に位置する被洗濯物を内周側に向かって移動させることができる。その結果、被洗濯物の位置が入れ替わりやすくなるため、洗いムラを低減できる。
【産業上の利用可能性】
【００８９】
本発明は、被洗濯物の容量に対して使用水量が少ない場合でも、洗いムラの低減が要望される洗濯機などの洗浄機器などの分野に広く利用することができる。
【符号の説明】
【００９０】
１    筐体
２    サスペンション
３    外槽
４    内槽
５，２９    小孔
６    バランサ
７    攪拌翼
７ａ    回転中心
７ｂ    外周
８    駆動軸
９    減速機構
１０    モータ
１１    制御部
１５    給水弁
１６    蓋
２２    排水ホース
２３    クラッチ
２５，２５ａ，２５ｂ，２５ｃ，２５ｄ，２５ｅ，２５ｆ，２５ｇ，２５ｈ    被洗濯物
２６    基盤
２６ａ    ねじ締結部
２７    中心翼
２７ａ，２７ｃ，２８ａ，２８ｃ    羽根側面
２７ｂ，２８ｂ    羽根上面
２７ｂｂ，２８ｂｂ    中央部分
２７ｄ    先端部
２８    外周翼
【手続補正２】
【補正対象書類名】特許請求の範囲
【補正対象項目名】全文
【補正方法】変更
【補正の内容】
【特許請求の範囲】
【請求項１】
少なくとも上方に開口して被洗濯物および洗濯水を収容する内槽と、
前記内槽の内底部に配設され、回転駆動部によって回転駆動される攪拌翼を有し、
前記攪拌翼は、回転中心から外周に向かって前記攪拌翼の基盤から上方に隆起して設けられた中心翼と、
前記外周から前記回転中心に向かって前記攪拌翼の基盤から上方に隆起して設けられた外周翼とを備え、
前記中心翼と前記外周翼とは、前記攪拌翼の円周方向の異なる位置に配設される洗濯機。
【請求項２】
前記中心翼と前記外周翼とは、前記攪拌翼の回転方向に対して交互に配置される請求項１に記載の洗濯機。
【請求項３】
前記中心翼と前記外周翼とは、前記攪拌翼の回転中心に対して等間隔に配置される請求項１に記載の洗濯機。
【請求項４】
前記攪拌翼の前記外周側の前記中心翼の先端部の回転軌跡が、前記攪拌翼の前記回転中心側の前記外周翼の先端部の回転軌跡より径大になるように、前記中心翼と前記外周翼の半径方向の長さを設定する請求項１に記載の洗濯機。
【請求項５】
前記中心翼は、羽根上面と、前記羽根上面の両側に形成される羽根側面とを有し、前記中心翼の前記回転中心側における前記羽根上面の幅を、前記中心翼の先端部の回転軌跡の長さの１／２０以上に設定する請求項１に記載の洗濯機。
【請求項６】
前記外周翼は、羽根上面と、前記羽根上面の両側に形成される羽根側面とを有し、前記外周翼の外周側の羽根上面の幅を、前記攪拌翼の外周の長さの１／２０以上に設定する請求項１に記載の洗濯機。
【請求項７】
前記中心翼の半径方向の長さを、前記攪拌翼の半径の１／２に設定する請求項１に記載の洗濯機。
【請求項８】
前記外周翼の半径方向の長さを、前記攪拌翼の半径の１／２に設定する請求項１に記載の洗濯機。
【請求項９】
前記中心翼の前記羽根上面は、前記攪拌翼の外周方向に向かうにつれて、前記攪拌翼の基盤に近づくように下降傾斜して設けられている請求項５に記載の洗濯機。
【請求項１０】
前記中心翼の前記羽根上面は、前記攪拌翼の円周方向の両側に設けられた前記羽根側面に向かうにつれて、前記攪拌翼の基盤に近づくように下降傾斜して設けられている請求項５に記載の洗濯機。
【請求項１１】
前記中心翼の前記羽根上面は、前記攪拌翼の外周方向に向かうにつれて、円周方向の幅が狭くなるように設けられている請求項５に記載の洗濯機。
【請求項１２】
前記外周翼の前記羽根上面は、前記攪拌翼の回転中心方向に向かうにつれて、前記攪拌翼の基盤に近づくように下降傾斜して設けられている請求項６に記載の洗濯機。
【請求項１３】
前記外周翼の前記羽根上面は、前記攪拌翼の円周方向の両側に設けられた前記羽根側面に向かうにつれて、前記攪拌翼の基盤に近づくように下降傾斜して設けられている請求項６に記載の洗濯機。
【請求項１４】
前記外周翼の前記羽根上面は、前記攪拌翼の回転中心方向に向かうにつれて、円周方向の幅が狭くなるように設けられている請求項６に記載の洗濯機。
【手続補正３】
【補正対象書類名】図面
【補正対象項目名】全図
【補正方法】変更
【補正の内容】
【図１】
2015141209.tif 000010
【図２】
2015141209.tif 000011
【図３】
2015141209.tif 000012
【図４】
2015141209.tif 000013
【図５】
2015141209.tif 000014
【図６】
2015141209.tif 000015
【図７】
2015141209.tif 000016
【国際調査報告】
2015141209.tif 000017
2015141209.tif 000018
2015141209.tif 000019
2015141209.tif 000020